(57)【要約】【課題】回路遮断器に設けたトリップボタンを手動操作して遮断器をトリップ動作させるテスト機能を確保しつつ、外部付属の電圧，不足電圧引外し装置を取り付けた状態での動作出力をトリップボタンに伝えて遮断器をトリップ動作させるようにする。【解決手段】遮断器ケース１にトリップボタン６を付設し、該トリップボタンの操作により開閉機構のラッチを釈放して主回路接点を開極動作させるようにした回路遮断器において、トリップボタンにはその頂部の押しボタン部６ａと別に軸部側方に操作突起部６ｄを設けた上で、該操作突起部を外部付属の引外し装置と対応させるように遮断器ケースの側壁に開口した窓穴３ｂに臨ませて配置する。そして、回路遮部付属の引外し装置を装着した状態で、該引外し装置のトリップレバーを遮断器ケースの側面に開口した窓穴を通じてトリップボタンの操作突起部に連係させる。これにより、外部付属装置に邪魔されることなくトリップボタンを手動で自由に操作して回路遮断器のトリップ動作テストを行うことができる。【選択図】      図１
2005158443.tif 000002
【特許請求の範囲】
【請求項１】
主回路接点, 主回路接点の開閉機構, およびラッチ機構を介して開閉機構に連係した引外し装置を搭載した遮断器ケースにトリップボタンを付設し、該トリップボタンの押し込み操作により前記ラッチ機構を釈放して主回路接点を開極動作させるようにした回路遮断器において、
前記トリップボタンにはその頂部の押しボタン部と別に軸部側方に張り出した操作突起部を設けた上で、該操作突起部を外部付属の引外し装置と対応させるように遮断器ケースの側壁に開口した窓穴に臨ませて配置したことを特徴とする回路遮断器。
【請求項２】
請求項１に記載の回路遮断器において、遮断器ケースの側壁に外部付属の引外し装置を装着した状態で、該引外し装置のトリップレバーを遮断器ケースの窓穴を通じてトリップボタンに設けた操作突起部の上側に対峙させ、外部付属引外し装置の動作時にトリップボタンを押し込んで主回路接点を開極動作させるようにしたことを特徴とする回路遮断器。
【請求項３】
請求項２記載の回路遮断器において、当該回路遮断器に装着して使用する外部付属の引外し装置が、回路遮断器に設けたトリップボタンの操作突起部に向けてケース側面より突き出すトリップレバーを備えた電圧引外し装置，もしくは不足電圧引外し装置であることを特徴とする回路遮断器。
【発明の詳細な説明】
【技術分野】
【０００１】
本発明は、配線用遮断器，漏電遮断器などを対象とした回路遮断器に関し、詳しくは回路遮断器に装備したトリップボタンの構造，機能に係わる。
【背景技術】
【０００２】
頭記した配線用遮断器，漏電遮断器は、主回路に過負荷，短絡電流，あるいは漏電電流が流れた際にこの異常電流を検知して主回路接点を開極動作させるものであり、周知のように主回路接点（可動および固定接触子），主回路接点の開閉機構（開閉ばねで蓄勢したトグルリンク機構），およびラッチ機構を介して開閉機構に連係させた引外し装置（過負荷電流，短絡電流，漏電電流に対応する各種引外し装置）の機能部品を組み合わせて遮断器ケースに組み込んだ構成になる。
また、この回路遮断器には、遮断器のトリップ動作が正常に機能するか否かを随時テストするために、「トリップボタン」と称するテスト用のボタンを装備しており、このトリップボタンを外部から手動で押し込み操作することにより、前記のラッチ機構を釈放して主回路接点を開極させるようにしている（例えば、特許文献１参照）。
【０００３】
図５(a),(b) は上記のトリップボタンを装備した従来における回路遮断器の構成図であり、図において、１は下部ケース２と上部カバー３からなる遮断器ケース（樹脂モールドケース）、４は主回路端子（Ｕ，Ｖ，Ｗ相）、５は開閉操作ハンドルであり、図示してないが遮断器ケース１の内部には前記した主回路接点，開閉機構などの機能部品が組み込まれている。また、遮断器ケース１には前記のトリップボタン６が装備されている。このトリップボタン６は、図５(b) で示すように頂部の押しボタン部６ａ，軸部６ｂ，操作部６ｃを形成した樹脂成形品になり、先記の特許文献１で詳しく述べられているように、復帰ばね（図示せず）と組み合わせて押しボタン部６ａがカバー３上面に開口した穴に臨むように遮断器ケース１に組み込み、この位置で先端の操作部６ｃを器内のラッチ機構に対峙させている。
【０００４】
そして、回路遮断器のトリップ機能をテストする際に、押しボタン部６ａを手動で押し込むと先端の操作部６ｃがラッチ機構を釈放し、蓄勢状態にあった開閉機構の開閉ばねを放勢して主回路接点を開極動作させる。
一方、この回路遮断器に組み合わせて使用する外部付属（オプション品）の電圧引外し装置（外部から電気信号を与え、その動作により回路遮断器をトリップ動作させる），あるいは不足電圧引外し装置（主回路電圧が設定電圧以下に低下した際に動作して回路遮断器をトリップ動作させる）の出力端（トリップレバー）を前記のトリップボタン６に連係させ、電圧引外し装置，あるいは不足電圧引外し装置の動作時にトリップボタンを押し込んで回路遮断器をトリップ動作させるようにしたものが製品化されており、その従来製品の使用状態を図６に示す。
【０００５】
図６において、７は電圧引外し装置（あるいは不足電圧引外し装置）であり、該引外し装置７は図示のように回路遮断器の遮断器ケース１の側壁に装着し、この装着位置で引外し装置７の頂部から側方に突き出したトリップレバー７ａ（トリップレバーは引外し装置に組み込んだ電磁ソレノイドで駆動するようにしている）の突起を回路遮断器の遮断器ケース１に装備したトリップボタン６の上面に対峙させている。なお、回路遮断器の遮断器ケース１には、図５(a) で示すようにカバー３の前後端の側縁に外部付属の引外し装置７を取り付けるための楔形係合溝３ａを形成しておき、この係合溝に引外し装置７のケース側壁に設けた係合突起７ｂを上方側から嵌入して定位置に取り付けるようにしている。
この使用状態で、引外し装置７が作動すると、そのトリップレバー７ａが回路遮断器のトリップボタン６（図５(b) に示した押しボタン部６ａ）を下方に押し込んで回路遮断器をトリップ動作させる。
【特許文献１】実用新案登録第２５５９９６９号公報
【発明の開示】
【発明が解決しようとする課題】
【０００６】
ところで、回路遮断器のトリップボタンとして、図５に示した構造のトリップボタン６を遮断器ケース１に組付けた従来構成の回路遮断器に対し、図６のように外部付属の引外し装置７（電圧引外し装置，あるいは不足電圧引外し装置）を組み合わせて使用した場合には、トリップボタン６の上面を引外し装置７の出力レバー７ａが覆い隠すことになる。このために、トリップボタン６を直接手動で押して回路遮断器が正常にトリップ動作するか否かを点検するトリップボタン自身の本来のテスト機能が果たせなくなる。
本発明は上記の点に鑑みなされたものであり、その目的は前記課題を解決し、トリップボタンを手動により直接操作して回路遮断器をトリップ動作させるテスト機能を確保しつつ、同時にこの回路遮断器に外部付属の電圧引外し装置，あるいは不足電圧引外し装置を取り付けて使用する場合に、その動作出力をトリップボタンに伝えて回路遮断器をトリップできるように改良した回路遮断器を提供することにある。
【課題を解決するための手段】
【０００７】
上記目的を達成するために、本発明によれば、主回路接点, 主回路接点の開閉機構, およびラッチ機構を介して開閉機構に連係した引外し装置を搭載した遮断器ケースにトリップボタンを付設し、該トリップボタンの押し込み操作により前記ラッチ機構を釈放して主回路接点を開極動作させるようにした回路遮断器において、
前記トリップボタンにはその頂部の押しボタン部と別に軸部側方に張り出した操作突起部を設けた上で、該操作突起部を外部付属の引外し装置と対応させるように遮断器ケースの側壁に開口した窓穴に臨ませて配置する（請求項１）ものとし、具体的には次記のような態様で実施する。
(1) 遮断器ケースの側壁に外部付属の引外し装置を装着した状態で、該引外し装置のトリップレバーを遮断器ケースの窓穴を通じてトリップボタンに設けた操作突起部の上側に対峙させ、外部付属引外し装置の動作時にトリップボタンを押し込んで主回路接点を開極動作させるようにする（請求項２）。
【０００８】
(2) 回路遮断器に装着して使用する前記の外部付属の引外し装置は、そのケース側面から回路遮断器に設けたトリップボタンの前記操作突起部に向けて突き出すトリップレバーを備えた電圧引外し装置，もしくは不足電圧引外し装置である（請求項３）。
【発明の効果】
【０００９】
上記の構成によれば、回路遮断器に外部付属の電圧引外し装置，あるいは不足電圧引外し装置を装着した使用状態でも、この外部付属の引外し装置に邪魔されることなく、回路遮断器のトリップボタンを手動で自由に押し込み操作してトリップ動作テストを随時行うことができる。しかも、外部付属の引外し装置の動作時には、そのトリップレバーがトリップボタンに形成した操作突起部を押し込んで回路遮断器をトリップ動作させることができ、これによりトリップボタンの本来のテスト機能を確保しつつ、同時にこのトリップボタンを利用して外部付属の引外し装置の操作で回路遮断器をトリップ動作させることができて使い勝手性が向上する。
【発明を実施するための最良の形態】
【００１０】
以下、本発明の実施の形態を図１〜図４に示す実施例に基づいて説明する。なお、実施例の図中で図５，図６に対応する部材には同じ符号を付してその説明は省略する。
図示実施例において、回路遮断器の遮断器ケース１に装備したトリップボタン６には、図１(b) で示すように頂部の押しボタン部６ａから軸部６ｂの側方に張り出す操作突起部６ｄが一体に形成してあり、トリップボタン６はこの操作突起部６ｄを遮断器ケース１のカバー側壁に開口した窓穴３ｂに臨ませて配置されている。
一方、図示実施例の回路遮断器に付属させて使用する外部付属の電圧引外し装置７（あるいは不足電圧引外し装置）は、図３で示すようにトリップレバー７ａをケースから側方に突き出しており、同じケース側面には左右に並んで楔状の係合突起７ｂが形成されている。そして、この電圧引外し装置７を回路遮断器に装着する際には、遮断器ケース１のケース上面に設けた補助カバー３ｃを開いた上で、カバー側面に形成した係合溝３ａ（図１参照）に前記係合突起７ｂを上方から嵌入し、図２のように回路遮断器の外部付属装置として遮断器ケース１の側面に電圧引外し装置７を装着する。
【００１１】
この装着状態では図４の断面図で表すように電圧引外し装置７のケースから側方に突き出たトリップレバー７ａが回路遮断器のカバー側壁に開口した窓穴３ｂ（図１参照）を通じてトリップボタン６の操作突起部６ｄの上面に対峙している。ここで、電圧引外し装置７にトリップ信号が与えられると、そのケース内に組み込まれている電磁ソレノイドの駆動でトリップレバー７ａが下降し、トリップボタン６の操作突起部６ｄを押し下げて回路遮断器をトリップ動作させる。
また、回路遮断器に電圧引外し装置７を装着した状態（図２参照）でも、トリップボタン６は頂部の押しボタン部６ａが遮断器ケース１のカバー上面に露呈しているので、電圧引外し装置７に邪魔されることなく、必要時にはトリップボタン６を手動で直接押し込み操作して回路遮断器のトリップ動作テストが行える。
【図面の簡単な説明】
【００１２】
【図１】本発明の実施例の構成図で、(a) は回路遮断器全体の外観斜視図、(b) はトリップボタンの拡大外形図
【図２】図１(a) の回路遮断器に外部付属の電圧引外し装置を装着した使用状態の外観斜視図
【図３】図２における電圧引外し装置を装着面側から見た外観斜視図
【図４】図２における矢視Ｘ−Ｘの拡大断面図
【図５】従来における回路遮断器の構成図で、(a) は全体の外観斜視図、(b) はトリップボタンの拡大外形図
【図６】図５(a) の回路遮断器に従来の外部付属電圧引外し装置を装着した使用状態の外観斜視図
【符号の説明】
【００１３】
１    遮断器ケース
３    カバー
３ｂ  窓穴
６    トリップボタン
６ａ  押しボタン部
６ｂ  軸部
６ｄ  操作突起部
７    電圧引外し装置（外部付属装置）
７ａ  トリップレバー
【図１】
2005158443.tif 000003
【図２】
2005158443.tif 000004
【図３】
2005158443.tif 000005
【図４】
2005158443.tif 000006
【図５】
2005158443.tif 000007
【図６】
2005158443.tif 000008